(57)【特許請求の範囲】
【請求項１】
複数の吸収性物品を重ねて収納可能な筐体と、前記筐体に収納される吸収性物品と、を有する吸収性物品収納体であって、
前記筐体は、
該筐体の内部に形成される吸収性物品収納部と、
前記吸収性物品を重ねた一方の端部に対応する前記筐体の側面に設けられ、前記吸収性物品を一つずつ取り出し可能な開口と、
前記吸収性物品収納部に仕切り板を介して隣接して形成される香料収納部と、を備え、
前記仕切り板は、前記香料収納部に収容される香料剤の香料成分が通気可能な通気部を備え、前記通気部は、前記一方の端部に配置される前記吸収性物品のうちの一つの平面部が当接する位置に配置され、
前記吸収性物品のそれぞれは、所定の幅を有する個別包装容器と、該個別包装容器に収容され、前記所定の幅よりも短い本体幅を有する吸収性物品本体により構成され、
前記側面のうち向かい合う一対の側面の内寸幅は、前記本体幅の長さよりも長く、前記所定の幅の長さと同一または前記所定の幅の長さよりも短い長さの内寸幅である吸収性物品収納体。
【請求項２】
前記筐体は縦長状であって、前記香料収納部は、前記仕切り板側を開口とする凹状の引き出し部を備える請求項１記載の吸収性物品収納体。
【請求項３】
重ねられた前記吸収性物品の他方の端部に載置され、前記筐体の内寸よりも小さく前記吸収性物品の前記平面部に適合した形状のおもりシートをさらに備える請求項１または２に記載の吸収性物品収納体。
【発明の詳細な説明】
【技術分野】
【０００１】
本発明は、吸収性物品収納体、特に吸収性物品に香りが付される収納容器に吸収性物品が収納された吸収性物品収納体に関する。
【背景技術】
【０００２】
従来より、月経やおりものなどの経血や分泌物を吸収する生理用ナプキンやパンティライナーなどの吸収性物品には、経血や分泌物が有するにおいを隠す（マスキングする）ために、香りが付された製品が開発されている。
【０００３】
これらの製品は、吸収性物品自体に香り付けされてフィルムなどで包装され、開封後は開放された状態で使用されるため、時間がたつと香料成分が散じて香りが希薄になる（例えば、特許文献１）。そして、香りが使用する時間の経過とともに希薄になることを考慮して、香料剤はやや強めに添加されていた。
【０００４】
しかしながら、香り付けされた吸収性物品の使用にあたっては、このような強い香りが使用中に身辺に漂い、周囲の人に吸収性物品を身に着けていることが知られてしまうのではないかと不安に感じられる場合があった。この場合、開封時に吸収性物品が香って装着時に感じるにおいがマスキングされれば、その後使用中も香ることは求められていなかった。
【０００５】
また、生産工程では、香り付けされた吸収性物品の生産後に香り付けされない吸収性物品を生産する場合、香りが移ることを防ぐために製造ラインの清掃の必要がある。清掃をしない場合には、香り付けされたものとされないものとを別個の製造ラインにする必要が生じ、製造コストが高くなるという問題もあった。
【特許文献１】登録実用新案第３０１８８１３号公報
【発明の開示】
【発明が解決しようとする課題】
【０００６】
以上のような状況に鑑み、本発明は、吸収性物品の外面に香りを移香させる吸収性物品の収納容器およびかかる収納容器に吸収性物品が収納された吸収性物品収納体を提供することを目的とする。
【課題を解決するための手段】
【０００７】
本発明者らは、吸収性物品を収納する筐体に香料収納部を設け、この筐体の内部で吸収性物品が香料収納部から香料成分が通気する通気部に当接する位置に配置されることで、使用する吸収性物品の外面にのみ付香できることを見出し、本発明を完成するに至った。
【０００８】
（１）  複数の吸収性物品を重ねて収納可能な筐体の内部に形成される吸収性物品収納部と、前記吸収性物品を重ねた一方の端部に対応する前記筐体の側面に設けられ、前記吸収性物品を一つずつ取り出し可能な開口と、前記吸収性物品収納部に仕切り板を介して隣接して形成される香料収納部と、を備え、前記仕切り板は、前記香料収納部に収容される香料剤の香料成分が通気可能な通気部を備え、前記通気部は、前記一方の端部に配置される前記吸収性物品のうちの一つの平面部が当接する位置に配置される吸収性物品収納容器。
【０００９】
（２）  前記吸収性物品収納容器は縦型容器であって、前記香料収納部は、前記仕切り板側を開口とする凹状の引き出し部を備える（１）記載の吸収性物品収納容器。
【００１０】
（３）  複数の吸収性物品を重ねて収納可能な筐体と、前記筐体に収納される吸収性物品と、を有する吸収性物品収納体であって、前記筐体は、該筐体の内部に形成される吸収性物品収納部と、前記吸収性物品を重ねた一方の端部に対応する前記筐体の側面に設けられ、前記吸収性物品を一つずつ取り出し可能な開口と、前記吸収性物品収納部に仕切り板を介して隣接して形成される香料収納部と、を備え、前記仕切り板は、前記香料収納部に収容される香料剤の香料成分が通気可能な通気部を備え、前記通気部は、前記一方の端部に配置される前記吸収性物品のうちの一つの平面部が当接する位置に配置され、前記吸収性物品のそれぞれは、所定の幅を有する個別包装容器と、該個別包装容器に収容され、前記所定の幅よりも短い本体幅を有する吸収性物品本体により構成され、前記側面のうち向かい合う一対の側面の内寸幅は、前記本体幅の長さよりも長く、前記所定の幅の長さと同一または前記所定の幅の長さよりも短い長さの内寸幅である吸収性物品収納体。
【発明の効果】
【００１１】
本発明によれば、吸収性物品の外面に香りを移香させる吸収性物品の収納容器およびかかる収納容器に吸収性物品が収納された吸収性物品収納体が提供される。
【発明を実施するための最良の形態】
【００１２】
以下、本発明の実施形態について図面を参照しながら説明する。なお、本発明の実施形態は、下記の実施形態に何ら限定されることなく、本発明の技術的範囲は、これに限定されるものではない。
【００１３】
本明細書において「吸収性物品」とは、人の体から排出される体液を吸収して保持するものであり、パンティライナーや生理用ナプキン、尿漏れパッドなどを含む。本実施形態においては、吸収性物品としてパンティライナーについて説明するが、これに限定されない。
【００１４】
図１は本発明にかかるパンティライナー収納容器の斜視図である。図２は、図１のパンティライナー収納容器の断面図である。図３は本発明に係る通気部と香料収納部を示す斜視図である。図４はパンティライナーと筐体の幅の関係を示す説明図である。図５は第２実施形態に係るパンティライナー収納容器の断面図である。図５は第３実施形態に係るパンティライナー収納容器の断面図である。
【００１５】
第１実施形態
１．全体構成
パンティライナー収納容器１は、複数のパンティライナー１０を重ねて収容可能な筐体２の内部に形成されるパンティライナー収納部４と、このパンティライナー１０を重ねた一方の端部１１側に相当する部分において筐体２の側面２０に設けられる開口３と、仕切り板５を間に介してパンティライナー収納部４に隣接して形成される香料収納部６と、を備える。仕切り板５は、香料収納部６に収納される香料剤６０の香料成分が通気可能な通気部５０を備える。この通気部５０は、重ねたパンティライナー１０の端部１１側に設けられ、パンティライナー１０の平面部１２が当接する位置に配置される。
【００１６】
２．吸収性物品収納部
図１に示すように、パンティライナー収納容器１は筐体２を有し、筐体２の内部には複数のパンティライナー１０を収納するパンティライナー収納部４が形成される。筐体２は、縦長状の直方体であり、四枚の側面２０ａ、２０ｂ、２０ｃ、２０ｄと底部２１と上部開口２２を備える。筐体２は長手方向が設置面に対して垂直になるように設置され、パンティライナー収納容器１は縦置き型である。上部開口２２には、蓋８が配置される。この筐体２の内部において、後述する仕切り板５で仕切られるパンティライナー１０を収納する中空部分がパンティライナー収納部４である。パンティライナー１０は、パンティライナー収納部４に重ねて収納される。パンティライナー収納部４において垂直方向の最も下方に位置するパンティライナー１０から使用され、パンティライナー収納部４の上部開口２２から補充される。本実施形態において、筐体２はポリスチレン樹脂の成型品であるが、これに限定されない。
【００１７】
筐体２の一の側面２０ａにおいて、重ねたパンティライナー１０の一方である最下方の端部１１に対応する部分に開口３が形成される。側面２０ａの全幅にわたって形成された開口から連続する切り欠けが側面２０ａに連続する側面２０ｂ、２０ｃに形成される。開口の高さ方向の長さは、収納するパンティライナー１０の一つの厚さ方向の長さよりも長く、パンティライナー１０を二つ重ねた分の厚さ方向の長さよりも短く形成される。これにより開口３からパンティライナー１０が確実に一つずつ取り出される。本実施形態において開口３の高さは５ｍｍであるが、収納容器に収納される吸収性物品の種類に応じて適宜設定される。なお、開口３は、ヒンジ機構などによって開閉可能な蓋で覆ってもよい。
【００１８】
図１および図２に示すように、パンティライナー収納部４において、重ねたパンティライナー１０の上部開口２２側、すなわち蓋８を開けたときに面する側にあるパンティライナー１０の上には、おもりシート７が載置される。おもりシート７の外寸は、筐体２の内寸よりも小さく形成される。おもりシート７は、パンティライナー１０の平らな部分である平面部１２に適合した四角形のシート状の板である。おもりシート７は、パンティライナー１０の一つを開口３から取り出したときに、重ねられたパンティライナー１０の下方への移動を補助するために載置される。したがっておもりシート７は、パンティライナー１０を下方に移動させるに足る重量の素材で製造される。本実施形態においては厚さが２ｍｍのプラスチック樹脂製のシートであるが、これに限定されない。
【００１９】
３．香料収納部
筐体２の内部において、パンティライナー収納部４に後述する仕切り板５を介して隣接する香料収納部６が形成される。香料収納部６は、仕切り板５側を開口とする凹状の引き出し部６１を備える。引き出し部６１の寸法は、香料収納部６の内側から外側へスライド可能なように、香料収納部の内側の寸法よりも小さく適合される。引き出し部６１には、香料成分を発する香料剤６０が収納される。
【００２０】
香料剤６０は、ビーズ状の固形香料が用いられるが、これに限定されない。例えば、他の形状の固形香料、液状の香料をデキストリンのような多糖類や、ゼオライト、シリカゲルなどに吸着させたり、またはシクロデキストリンに包接させるなどして香料保持体に染み込ませたもの、液状の香料をポリ変性アルキレンオキサイドに吸収させてゲル化させたものなどが用いられてよい。
【００２１】
４．仕切り板
仕切り板５は、パンティライナー収納部４と香料収納部６との間に配置される。仕切り板５は、筐体２と一体成型される。図３に示すように、仕切り板５は、仕切り板５の下方に配置される香料収納部６に収納された香料剤６０から発せられる香料成分を、仕切り板の上方に配置されるパンティライナー収納部４側へ通気可能な通気部を備える。仕切り板５は、本実施形態においては、プラスチックの樹脂により格子状に成型される。この格子の隙間の部分が通気部５０である。香料剤６０から発せられる香料成分は、図３の矢印方向へ飛散する。
【００２２】
通気部５０は、重ねられたパンティライナー１０の端部１１側にある一のパンティライナー１０の平面部１２に当接される位置に配置される。このような配置により、下方に配置される香料収納部６に収納された香料剤６０から発せられる香料成分が、通気部５０を通って重ねられたパンティライナー１０の端部１１側にある一のパンティライナーに付着し、移香する。
【００２３】
なお、仕切り板５は上記の態様に限定されない。例えば、筐体２の内寸に適合する別体の板とし、パンティライナー収納部４と香料収納部６との間に突起を形成して、筐体２の内部に仕切り板５を留めてもよい。また、通気部５０は、板を格子状に成型したものでなく、通気性のある不織布などを枠に張った態様でもよい。仕切り板は、香料成分を通気させる通気部を備えれば従来公知の方法で作成されてよい。
【００２４】
パンティライナー収納容器１は、必要に応じて脚と台座により構成される台座部９を備えてよい。台座部を備えることにより、トイレなどに設置された場合に、パンティライナー１０を衛生的に保管することが可能になる。
【００２５】
５．吸収性物品収納体
図１および図２に示すように、パンティライナー収納体１００は、パンティライナー収納容器１と、パンティライナー１０を有する。図４に示すように、パンティライナー１０のそれぞれは、個別包装容器１４の幅１４０を有する個別包装容器１４と、個別包装容器１４の幅１４０よりも短い本体幅１３０を有するパンティライナー本体１３と、により構成される。本実施形態において、パンティライナー本体１３は、縦長状の形状であり、肌に当接する肌当接面側を内側にして三つ折りにされた状態で、不織布製の包装シートである個別包装容器１４により包装される。パンティライナー本体１３はその外周縁が曲線状であるため、部分によって幅が短い部分と長い部分を有するが、ここで本体幅１３０とは、パンティライナー本体１３の幅方向の長さが最も長い幅をいう。
【００２６】
一方、筐体２の側面２０は、向かい合う一対の側面２０ａ、２０ｄを含む。そして一対の側面２０ａ、２０ｄの内寸の側面幅２００は、本体幅１３０よりも長く、個別包装容器の幅１４０と同一か、または個別包装容器１４の幅１４０よりも短く形成される。図４においては、個別包装容器１４の幅１４０よりも短い場合が示されているが、同一であってもよい。個別包装容器１４の幅１４０方向の端部は、内部にパンティライナー本体１３を含んでおらず、容易に折れ曲がる。このため、または個別包装容器１４の幅１４０よりも短い内寸幅を備える筐体２にパンティライナー１０を収納すると、個別包装容器１４の側縁側がぴったりとパンティライナー収納部４の側面２０ｂ、２０ｃの内側に沿い、密閉部４０が形成される。これにより、香料成分は仕切り板５に接する一のパンティライナーより上にもれることがなく移香される。
【００２７】
個別包装容器１４を構成する包装シートは、通気性のある不織布に限定されない。ポリエチレンなどのフィルムであっても、外面に香りが移香され、開封時に香るからである。しかしながら、通気性のある不織布であれば、個別包装容器１４の内部にもほのかに香りが移香するため、好ましい。
【００２８】
なお、筐体２の側面２０ｂ、２０ｃの幅方向の長さは、個別包装容器１４の側縁１４１の長さより長く、個別包装容器１４の側縁１４１が筐体２の側面２０ｂ、２０ｃの内寸に合うように適合される。これは、個別包装容器１４が一枚の包装シートにより構成され、三つ折にされたパンティライナー本体１３の外面を、包装シートの両端を重ね合わせるように包んで留めているため、側縁１４１方向における端部は内部にパンティライナー本体１３が存在し、容易に折れ曲がらないからである。
【００２９】
しかしながら、これに限定されず、例えば個別包装容器１４が袋状であり、側縁１４１方向においてもパンティライナーを含まない部分があり得るような形態をとる場合には、個別包装容器１４の側縁１４１の長さは、筐体２の側面２０ｂ、２０ｃの幅の関係についても、筐体２の側面２０ｂ、２０ｃの内寸の幅が、側縁１４１の長さと同一か、側縁１４１の長さよりも短く構成されてもよい。
【００３０】
本発明によれば、香り付けされていないパンティライナー１０の外面に香りを移香させることができるため、パンティライナー１０の開封時に好適に香り、パンティライナーの使用中に香ることがない。また、重ねられたパンティライナー１０のうち、次に使用するパンティライナーのみに通気部５０から香料成分を移香させることができるため、効果的に香料成分が消費される。
【００３１】
重ねられたパンティライナー１０は、一つ取り出されるごとに重力により下方に移動し、開口３を塞ぐ。また、筐体２の側面２０ａ、２０ｄの内寸の幅は、パンティライナー１０のそれぞれの個別包装容器１４の幅１４０と同じか、またはそれよりも短く形成される。このためパンティライナー１０をパンティライナー収納部４に収納すると、個別包装容器１４の幅方向の端部が折れ曲がって側面２０ｂ、２０ｃの内側の面に沿い、密閉部４９を形成する。仕切り板５の下方に配置される香料収納部６から通気部５０を通る香料成分は、重ねられたパンティライナー１０の端部１１側にある一のパンティライナーの個別包装容器１４によって塞がれて、密閉部４０内に充満し、飛散することなく香り付けが可能となる。
【００３２】
さらに、香り付けされていないパンティライナー１０の外面に香りを移香させることができるため、パンティライナー本体に香り付けをして製造する必要がなくなる。このためパンティライナーの生産工程において、香り付けされた吸収性物品の生産後に、香りが移ることを防ぐために製造ラインの清掃をする必要がなくなり、製造コストが低くなる。
【００３３】
香料剤は好みに合わせて適宜取り替えることができるため、使用者は自分の好みの香りを選択したり、同じ商品を使用する途中で香りを変更して楽しむことができる。
【００３４】
第２実施形態
図５に第２実施形態に係るパンティライナー収納容器１Ａの断面図を示す。第２実施形態においては、香料収納部６が筐体２の上部に配置された点で第１実施形態と異なる。以下に説明しない他の点は第１実施形態と同様であり、パンティライナー収納体１００Ａは、パンティライナー１０と、パンティライナー収納容器１Ａを備える。
【００３５】
香料収納部６は、仕切り板５によって仕切られる筐体２内部の上方に形成される。香料剤６０の出し入れは、筐体２の上面２２Ａを蓋やヒンジ機構などの公知の手段によって開閉可能とし、上方から行う。香料剤６０は取り扱いが容易なように固形のものや、固形のものに液状の香料を染み込ませたものなどを用いることが好ましい。
【００３６】
パンティライナー収納部４は、仕切り板５によって仕切られる筐体２内部の下方側の中空部分に形成される。パンティライナー１０は、筐体２の下部開口２１Ａから補充される。この開口を覆う蓋部７２は台座部９に接続されており、コイルばね７１と、筐体２の内寸に適合されたパンティライナー支持部７０を備える。コイルばね７１は、重ねられたパンティライナーを筐体の下方から上方へ付勢する。
【００３７】
図５は断面図であるため、開口３は図示されてないが、パンティライナー１０を取り出す開口３は、重ねられたパンティライナーの一方の端部１１である最も上方側に対応する筐体２の側面に形成される。この場合、個別包装容器１４と仕切り板５との間の密閉部４０がより良好に形成されるように、通気部５０は仕切り板５の中央寄りに形成されてもよい。
【００３８】
第２実施形態によれば、香料収納部が縦置き型のパンティライナー収納容器１Ａの上方に配置され、香料剤の下に仕切り板５が配置される。このため、香料成分が重力にしたがって仕切り板５の下方にある一のパンティライナー側へ直接的に移動し、移香の効果が高まる。
【００３９】
第３実施形態
図６に第３実施形態に係るパンティライナー収納容器１Ｂの断面図を示す。第３実施形態においては、パンティライナー収納容器１Ｂの長手方向が設置面に対して水平に配置される横置き型である点で第１実施形態と異なる。以下に説明しない他の点は第１実施形態と同様であり、パンティライナー収納体１００Ｂは、パンティライナー１０と、パンティライナー収納容器１Ｂを備える。
【００４０】
第３実施形態においては、パンティライナー収納部４は、仕切り板５によって仕切られる筐体２内部の一方側（図６の左側）の中空部分に形成される。パンティライナー１０は、筐体の一方の開口２１Ｂから補充される。この開口２１Ｂを覆う蓋部７２には、コイルばね７１と、筐体２の内寸に適合されたパンティライナー支持部７０が配置され、重ねられたパンティライナーを筐体の一方から他方（図６の右側）へ付勢する。台座部９は、筐体２の一の側面と接続されるように形成される。
【００４１】
パンティライナーを取り出すための開口３は、重ねられたパンティライナーの端部１１である最も他方側に対応する筐体２の側面に形成される。この場合、個別包装容器１４と仕切り板５との間の密閉部４０がより良好に形成されるように、通気部５０は仕切り板５の中央寄りに形成されてもよい。
【００４２】
香料収納部６は、仕切り板５を間に介して筐体２内部４の他方側に配置される。香料剤６０の出し入れは、筐体２の他方側の面２２Ｂを蓋やヒンジ機構などの公知の手段によって開閉可能とし、横から行う。香料剤６０は取り扱いが容易なように固形のものや、固形のものに液状の香料を染み込ませたものなどを用いることが好ましい。
【００４３】
第３実施形態によれば、第１実施形態と同様の効果を奏する。また、重心が低くなるため、トイレなどの狭い場所に設置する場合でも、誤って倒す危険性が減少する。
【図面の簡単な説明】
【００４４】
【図１】第１実施形態に係る吸収性物品収納容器を示す斜視図である。
【図２】図１の吸収性物品収納容器の断面図である。
【図３】本発明に係る仕切り板と香料収納部を示す斜視図である。
【図４】本発明に係る吸収性物品の上面図である。
【図５】第２実施形態に係る吸収性物品収納容器の断面図である。
【図６】第３実施形態に係る吸収性物品収納容器の断面図である。
【符号の説明】
【００４５】
１      吸収性物品収納容器
２      筐体
３      開口
４      吸収性物品収納部４
５      仕切り板
６      香料収納部
７      おもりシート
８      蓋
９      台座部
１０    吸収性物品、パンティライナー
１１    重ねられた吸収性物品の端部
１２    平面部
１３    吸収性物品本体
１４    個別包装容器
２０ａ、２０ｂ、２０ｃ、２０ｄ  側面
２１    底部
２１Ａ  下部開口
２１Ｂ  一方の開口
２２    上部開口
２２Ａ  上面
２２Ｂ  他方側の面
４０    密閉部
５０    通気部
６０、６０ａ    香料剤
６１    引き出し部
７０    パンティライナー支持部
７１    コイルばね
７２    蓋部
１００、１００Ａ、１００Ｂ    吸収性物品収納体
１３０  本体幅
１４０  個別包装容器の幅
【図１】
0005139043.tif 000002
【図２】
0005139043.tif 000003
【図３】
0005139043.tif 000004
【図４】
0005139043.tif 000005
【図５】
0005139043.tif 000006
【図６】
0005139043.tif 000007